(57)【要約】【課題】無人駐車場精算機の錠等の破壊が確実に防止されるようにし、錠の防犯性能を向上することを目的とする。【解決手段】機器等の錠３０の前面を覆うように取り付けられて用いられ、錠３０の鍵穴に対応する部分に開口部７を備え、かつ、その機器等への取り付け面側の開口部７の周縁に沿ってスペーサー５を自由状態に収納する凹み段部９が形成された錠保護装置本体３と、錠保護装置本体３の凹み段部９に開口部７を塞ぐように回転可能に装着される鍵差し入れ穴１７が形成されたスペーサー５とからなる錠保護装置。【選択図】　図９
2004143906.tif 000002
【特許請求の範囲】
【請求項１】
機器等の錠の前面を覆うように取り付けられて用いられ、前記錠の鍵穴に対応する部分に開口部を備え、かつ、その機器等への取り付け面側の前記開口部の周縁に沿ってスペーサーを自由状態に収納する凹み段部が形成された錠保護装置本体と、
前記錠保護装置本体の凹み段部に前記開口部を塞ぐように回転可能に装着される鍵差し入れ穴が形成されたスペーサーと、
からなることを特徴とする錠保護装置。
【請求項２】
前記スペーサーとして焼き入れ硬度ＨＲＣ５０以上の金属材料よりなるものを用いることを特徴とする請求項１記載の錠保護装置。
【請求項３】
前記スペーサーとして溶融温度が１，２　００　度Ｃ以上のものを用いることを特徴とする請求項２記載の錠保護装置。
【発明の詳細な説明】
【０００１】
【発明の属する技術分野】
この発明は、例えば無人駐車場精算機等の錠の保護装置に関する。
【０００２】
【従来の技術】
最近では無人駐車場が増えており、その無人駐車場には出口付近にキャビネット状の精算機が設けられ、その精算機内には支払われた駐車料金が格納されている。
【０００３】
【発明が解決しようとする課題】
したがって、防犯上の観点からそのキャビネットの扉の錠は頑丈なものが要求されるが、現状のものは鍵の差し入れ穴がある錠表面がキャビネットの扉表面に露出しているので強力なドリル等で破壊されてしまう。
【０００４】
この発明は上記の問題点を解消するように行なったもので、錠の破壊が確実に防止されるようにして錠の防犯性能を向上することを目的とする。
【０００５】
【課題を解決するための手段】
この発明は上記の事情に鑑みて行なったもので、機器等の錠の前面を覆うように取り付けられて用いられ、前記錠の鍵穴に対応する部分に開口部を備え、かつ、その機器等への取り付け面側の前記開口部の周縁に沿ってスペーサーを自由状態に収納する凹み段部が形成された錠保護装置本体と、前記本体の凹み段部に前記開口部を塞ぐように回転可能に装着される鍵差し入れ穴が形成されたスペーサーとからなることを特徴とする錠保護装置を提供する。
【０００６】
上記構成によれば、この錠保護装置が装着されることで錠の前面全体が覆われ、これにより錠を直接に破壊することができなくなって防犯性が向上される。このように錠の防犯性能は向上されるが、回転可能なスペーサーに鍵差し入れ穴が設けられているので錠の操作性は何ら損なわれることはない。なおこの錠保護装置が装着された場合、錠を破壊するには錠保護装置も破壊しなければならないが、その際、ドリルを錠前面に位置するスペーサーに当接使用しても、ドリルの破壊力は回転可能な自由状態のスペーサーで吸収されるのでスムーズな破壊動作が行なわれず、この構造面においても防犯性に優れている。さらに、最近ではドリルに加えバーナの高熱により錠を熱損傷させ破壊することも行なわれるが、錠保護装置はその熱からも錠を守り、とくに、錠保護装置と錠間に形成される空気層が断熱機能を発揮することで熱による錠の劣化、変形等の損傷が効果的に防止される。
【０００７】
さらに、使用に際し錠の前面に位置するスペーサーとして焼き入れ硬度ＨＲＣ５０以上の金属材料よりなる高い硬度をもの、例えば、ＳＫＨ−５１（高速度工具鋼鋼材　焼き入れ硬度ＨＲＣ６４以上）等を用いることで、スペーサーの破壊がより困難となりさらに防犯性が高められる。
【０００８】
さらに、スペーサーとして溶融温度が１，２　００　度Ｃ以上の高い耐熱性もの、例えば、ＳＫＨ−５１（高速度工具鋼鋼材　溶融温度が１，４　００　度Ｃ）等を用いることで、スペーサーのバーナ等による熱損傷が困難となり、これによりさらに防犯性が高められる。
【０００９】
この発明の錠保護装置は、無人駐車場精算機等の他、ＡＴＭや売り上げ金回収用金庫等の金銭を収納する装置の錠保護に汎く使用できる。
【００１０】
【発明の実施の形態】
図１はこの発明の錠保護装置の正面図、図２は同背面図、図３は同平面図、図４は同右側面図、図５は同左側側面図、図６は図１のａ−ａ断面図、図７はこの発明の錠保護装置の背面側分解斜視図、図８は同取り付け状態斜視図、図９は同取り付け状態断面図である。
【００１１】
錠保護装置１は円筒キャップ状の錠保護装置本体３と円形プレート状のスペーサー５とよりなる。錠保護装置本体３の前面中心には円形の開口部７が設けられ、その開口部７の背面側の周縁に沿っては３段に第１と第２と第３の凹み段部９、１１、１４が設けられている。円筒側部には１個のピン嵌入穴１３が設けられ、また環状端面には４本の取り付けネジ１５が立設されている。この錠保護装置本体３としては材質がＳ４５Ｃ（機械構造用炭素鋼鋼材）よりなるものを用いている。
【００１２】
スペーサー５は縦長の鍵差し入れ穴１７を備え、その径は上記錠保護装置本体３に形成される第１凹み段部９の外周径より、また、厚みは第１凹み段部９の高さよりともに若干小さく形成されている。そしてスペーサー５は第１凹み段部９部分に装着使用され、上記のように全体径、厚みが設計されていることでスペーサー５はその第１凹み段部９部分において自由状態で回転可能となっている。スペーサー５としてはその焼き入れ硬度はＨＲＣ６４以上、融点が約１，４００度Ｃの材質であるＳＫＨ−５１（高速度工具鋼鋼材）よりなるものを用いている。
【００１３】
次に上記錠保護装置１の取り付けについて説明する。錠３０は無人駐車場精算機のキャビネット扉面等の錠取り付け面３２に突出形成される錠取り付け用ボス３４内に嵌合配置されている。その錠３０の前面および錠取り付け用ボス３４の周面を覆うように、錠保護装置本体３にスペーサー５が一体に組み込まれた錠保護装置１が装着され、その取り付けネジ１５それぞれが錠取り付け面３２にナット３８それぞれにより内側から固定される。４０は固定ピンでピン嵌入穴１３から錠取り付け用ボス３４内に嵌め込まれ固定されている。
【００１４】
【発明の効果】
この発明によれば、装着される錠保護装置により錠の前面全体が覆われ、これにより錠を直接に破壊することができなくなって防犯性が確実に向上されるようになる。
【図面の簡単な説明】
【図１】この発明の錠保護装置の実施形態の正面図
【図２】この発明の錠保護装置の実施形態の正面図
【図３】この発明の錠保護装置の実施形態の背面図
【図４】この発明の錠保護装置の実施形態の右側面図
【図５】この発明の錠保護装置の実施形態の左側面図
【図６】図１のａ−ａ断面図
【図７】この発明の錠保護装置の実施形態の背面側分解斜視図
【図８】この発明の錠保護装置の実施形態の取り付け斜視図
【図９】この発明の錠保護装置の実施形態の取り付け断面図
【符号の説明】
１　錠保護装置
３　錠保護装置本体
５　スペーサー
９　第１の凹み段部（凹み段部）
１７　鍵差し入れ穴
３０　錠
【図１】
2004143906.tif 000003
【図２】
2004143906.tif 000004
【図３】
2004143906.tif 000005
【図４】
2004143906.tif 000006
【図５】
2004143906.tif 000007
【図６】
2004143906.tif 000008
【図７】
2004143906.tif 000009
【図８】
2004143906.tif 000010
【図９】
2004143906.tif 000011